(57)【要約】  【課題】  パチンコ盤面の表面側にパチンコ釘の一部が突出していない場合においてもパチンコ釘を除去することができると共に、パチンコ台の盤面を傷つけることなく、短時間でパチンコ釘を除去し、且つコスト高とならない安価なパチンコ釘の除去工具を提供する。  【解決手段】  パチンコ釘の除去工具１０は、中空筒状のケース本体１Ａ、１Ｂ、１Ｃと、このケース本体１Ｂ内に軸方向にスライド可能に挿入されたハンマー体７と、一方の端部をケース本体１Ａから外部に突出させ、他方の端部を前記ハンマー体７の押圧面と対向させた状態でケース本体１Ａ内に軸方向にスライド可能に挿入された釘押し体２と、ハンマー体７の押圧面とは反対側の面に当接するようにケース本体１Ｂ、１Ｃ内に配置された弾性体８と、釘押し体２をケース本体１Ａから突出させる方向へハンマー体７の押圧を許すトリガー手段４、５、６とを有している。【選択図】図１
2014128526.tif 000002
【特許請求の範囲】
【請求項１】
パチンコ台の盤面に配置されたパチンコ釘を、パチンコ台の盤面表側から裏側へと押し出して除去するパチンコ釘の除去工具であって、該除去工具は、
中空筒状のケース本体と、
該ケース本体内に軸方向にスライド可能に挿入されたハンマー体と、
一方の端部をケース本体から外部に突出させ、他方の端部を前記ハンマー体の前面と対向させた状態で前記ケース本体内に軸方向にスライド可能に挿入された釘押し体と、
前記ハンマー体の前面とは反対側の後面に当接するように前記ケース本体内に配置された弾性体と、
前記釘押し体と前記ハンマー体との間に配置され、前記釘押し体が所定の位置まで押し込まれていない状態では、係止状態を維持し、前記釘押し体が所定の位置まで押し込まれた状態で係止状態が解除され、前記釘押し体を前記ケース本体から突出させる方向へ前記ハンマー体の押圧を許すトリガー手段と、を有することを特徴とするパチンコ釘の除去工具。
【請求項２】
トリガー手段は、係止状態が解除された後に釘押し体がパチンコ台の盤面の釘穴から取り外されると、再び係止状態へと復帰する機能を備えていることを特徴とする請求項１に記載のパチンコ釘の除去工具。
【請求項３】
釘押し体は、パチンコ台の盤面表側に穿設されている釘穴に挿入可能な直径を有する円柱状の釘押し部と、一部がケース本体内に軸方向にスライド可能に挿入される円柱状のスライド部と、該スライド部と前記釘押し部の間に形成された円錐状の傾斜面部とが一体的に形成されていることを特徴とする請求項１又は２に記載のパチンコ釘の除去工具。
【請求項４】
釘押し体には、パチンコ台の盤面表側に当接可能な弾性体を有する盤面保護体が設置されていることを特徴とする請求項１〜３のいずれか１項に記載のパチンコ釘の除去工具。
【発明の詳細な説明】
【技術分野】
【０００１】
本発明は、遊技機であるパチンコ台の盤面に配置されている複数のパチンコ釘が、折れて交換が必要となった場合に、パチンコ釘をパチンコ台の盤面から除去するための工具である。
【背景技術】
【０００２】
従来から、パチンコ台の盤面にはパチンコ玉の通り道となるように複数のパチンコ釘が配置されている。このパチンコ釘は、パチンコ玉の衝撃によって頭部が折れた場合には、ポンチとハンマーとを使用し、パチンコ台の盤面の表から裏へと叩き出していた。
【０００３】
しかしながら、ポンチとハンマーとを使用して、パチンコ台の盤面の表面側から裏面側へと叩き出す作業を行う場合には、パチンコ台の裏面に配置されている基板や配線やカーバー等を取り外して作業を行う必要があった。また、ポンチやハンマーを使用することによって、パチンコ台の盤面の表面に傷がつく可能性があり、慎重に時間をかけて作業を行っていた。
【０００４】
この従来からの課題を解決するために、パチンコ台の盤面の表面側からパチンコ釘を抜き取るパチンコ釘の抜き取り専用のペンチが開発されている。このペンチは、細身のペンチであって、パチンコ釘のクランプ部先端中心点より、パチンコ盤面の釘を捕らえるＴ時状の溝を設けたものであった（特許文献１参照）。
【先行技術文献】
【特許文献】
【０００５】
【特許文献１】特開２０００−６０５２号公報
【発明の概要】
【発明が解決しようとする課題】
【０００６】
上記特許文献１に記載の発明は、パチンコ盤面の表面側にパチンコ釘の一部が突出している場合には抜き取ることができ、その効果を発揮させることができるものの、パチンコ釘が、パチンコ盤面の内部で折れた場合には、クランプ部で挟むことができず、パチンコ釘を取り出すことができなかった。
【０００７】
また、最近のパチンコ台の盤面は、木材に代わってプラスチックが主流となっており、パチンコ台の盤面からパチンコ釘を抜き取るためには相当の力が必要とされている。
【０００８】
本発明は上記点に鑑み、パチンコ盤面の表面側にパチンコ釘の一部が突出していない場合においてもパチンコ釘を除去することができると共に、パチンコ台の盤面を傷つけることなく、短時間でパチンコ釘を除去し、且つコスト高とならない安価なパチンコ釘の除去工具を提供することを目的とする。
【課題を解決するための手段】
【０００９】
請求項１の発明は、パチンコ台の盤面に配置されたパチンコ釘を、パチンコ台の盤面表側から裏側へと押し出して除去するパチンコ釘の除去工具であって、該除去工具は、中空筒状のケース本体と、該ケース本体内に軸方向にスライド可能に挿入されたハンマー体と、一方の端部をケース本体から外部に突出させ、他方の端部を前記ハンマー体の前面と対向させた状態で前記ケース本体内に軸方向にスライド可能に挿入された釘押し体と、前記ハンマー体の前面とは反対側の後面に当接するように前記ケース本体内に配置された弾性体と、前記釘押し体と前記ハンマー体との間に配置され、前記釘押し体が所定の位置まで押し込まれていない状態では、係止状態を維持し、前記釘押し体が所定の位置まで押し込まれた状態で係止状態が解除され、前記釘押し体を前記ケース本体から突出させる方向へ前記ハンマー体の押圧を許すトリガー手段とを有することを特徴としている。
【００１０】
本発明に係るパチンコ釘の除去工具は、上記構成を備えていることによって、パチンコ台の裏面に配置されている基板や配線やカーバー等を取り外して作業を行う必要が無く、パチンコ台に設置された状態において、片手でパチンコ釘の除去工具を把持し、釘押し体の先端を目的の釘に押し当てた後、釘押し体を釘穴に押し込むだけの作業でパチンコ釘を除去することができる。
【００１１】
したがって、短時間でパチンコ釘を除去することができることから、パチンコ釘の交換作業の効率を向上させることができる。また、簡易な構造で安価に製造することができ、コスト高とならないパチンコ釘の除去工具を提供することができる。
【００１２】
請求項２の発明は、請求項１の発明において、トリガー手段は、係止状態が解除された後に釘押し体がパチンコ台の盤面の釘穴から取り外されると、再び係止状態へと復帰する機能を備えていることを特徴としている。
【００１３】
したがって、複数のパチンコ釘の除去を連続して行うことができることから、パチンコ釘の交換作業の効率を一層向上させることができる。
【００１４】
請求項３の発明は、請求項１又は２の発明において、釘押し体は、パチンコ台の盤面表側に穿設されている釘穴に挿入可能な直径を有する円柱状の釘押し部と、一部がケース本体内に軸方向にスライド可能に挿入される円柱状のスライド部と、該スライド部と前記釘押し部の間に形成された円錐状の傾斜面部とが一体的に形成されていることを特徴としている。
【００１５】
釘押し体の釘押し部とスライド部との間に円錐状の傾斜面部を形成したことによって、釘押し部の先端とは反対側の端部に加わる負荷を軽減させ、釘押し部の折れ曲がりや破断を防ぐことができる。また、釘押し部と傾斜面部とスライド部とを一体的に形成することによって、大きな負荷に対しても対応することができる。
【００１６】
請求項４の発明は、請求項１〜３のいずれかの発明において、釘押し体には、パチンコ台の盤面表側に当接可能な弾性体を有する盤面保護体が設置されていることを特徴としている。
【００１７】
パチンコ釘の除去工具の使用時に、盤面保護体の弾性体がパチンコ台の盤面の表側に当接することにより、釘押し体が直接パチンコ台の盤面の表側に触れることがないので、盤面を傷めずに釘抜き作業を行うことができる。また、盤面保護体を釘押し体の釘押し部に装着することによって、釘抜き作業時にパチンコ釘の穴が大きくなるのを防ぐことができ、釘の抜けたパチンコ釘の穴に再び新しいパチンコ釘を取り付けることができる。
【発明の効果】
【００１８】
請求項１の発明では、パチンコ釘の交換作業の効率を向上させることができると共に、安価に製造することができコスト高とならないパチンコ釘の除去工具を提供することができる。また、請求項２の発明では、パチンコ釘の交換作業の効率を一層向上させることができる。また、請求項３の発明では、釘押し部の先端とは反対側の端部に加わる負荷を軽減させ、折れ曲がりや破断を防ぐことができる。また、請求項４の発明では、釘押し体が直接パチンコ台の盤面の表側に触れることがないので、盤面を傷めずに釘抜き作業を行うことができる。
【図面の簡単な説明】
【００１９】
【図１】本発明に係るパチンコ釘の除去工具の断面図である。
【図２】（ａ）は、釘押し体の斜視図である。（ｂ）は、釘押し体の正面図であり、（ｃ）は、同右側面図である。
【図３】（ａ）は、釘押し体に盤面保護体を設置した状態の斜視図である。（ｂ）は、釘押し体に盤面保護体を設置した状態の正面図であり、（ｃ）は、同右側面図である。
【図４】（ａ）は、トリガー部材ＡにばねＡを装着した状態の断面図である。（ｂ）は、トリガー部材ＡにばねＡを装着した状態を正面方向から見た図であり、（ｃ）は、トリガー部材ＡにばねＡを装着した状態を背面方向から見た図である。
【図５】（ａ）は、トリガー部材Ｂの斜視図である。（ｂ）は、トリガー部材Ｂの正面図であり、（ｃ）は、（ｂ）のＡ−Ａ断面図である。
【図６】（ａ）は、ハンマー体の斜視図である。（ｂ）は、ハンマー体の正面図であり、（ｃ）は、（ｂ）のＢ−Ｂ断面図である。
【図７】本発明に係るパチンコ釘の除去工具の使用状態を示す断面図である。
【図８】本発明に係るパチンコ釘の除去工具の使用状態を示す断面図である。
【発明を実施するための形態】
【００２０】
次に、本発明の実施形態を図面に基づいて説明する。図１は、本発明に係るパチンコ釘の除去工具を示す断面図である。尚、図中において断面を示す平行斜線は省略している。この図に示すように、パチンコ釘の除去工具１０は、前方の中空状のケース本体１Ａと中央の中空状のケース本体１Ｂとは、前方の中空状のケース本体１Ａに形成されている雄ネジ１０ｄに、中央の中空状のケース本体１Ｂに形成されている雌ネジ１０ｅが螺合することによって結合されている。また、中央の中空状のケース本体１Ｂと後方の中空状のケース本体１Ｃとは、中央のケース本体１Ｂに形成されている雄ネジ１０ｆに、後方の中空状のケース本体１Ｃに形成されている雌ネジ１０ｇが螺合することによって、結合されている。
【００２１】
そして、中央の中空状のケース本体１Ｂの中空部１０ｂには、軸方向にスライド可能にハンマー体７が挿入されている。このハンマー体７は、後述するように、一方の面に溝部が形成された円柱形状をなしており、溝部が形成されている面が前面を構成している。また、ハンマー体７の前面とは反対側の後面に一方の端部８ａが当接するように弾性体であるばねＢ８が配置されており、このばねＢ８の他方の端部８ｂ側は、後方の中空状のケース本体１Ｃの中空部１０ｃに収容され、端部８ｂが中空部１０ｃの底部に当接している。尚、ばねＢ８には、コイル状の圧縮ばねを使用すればよい。また、後方の中空状のケース本体１Ｃと、中央の中空状のケース本体１Ｂとの螺合を緩めて、中空部１０ｂの長さと中空部１０ｃの長さとを合計した長さを長くすることができる。この状態ではばねＢ８は中空部内で伸びることとなり、ハンマー体７への押圧力を弱めることができる。
【００２２】
また、中央の中空状のケース本体１Ｂの中空部１０ｂには、トリガー部材Ｂ６が挿入されている。このトリガー部材Ｂ６は、後述するように、中央に貫通孔を有する円柱形状をなしており、一方の面がハンマー体７の前面に対向させた状態で設置されている。また、他方の面には貫通孔の周囲に傾斜面が形成されている。
【００２３】
そして、前方の中空状のケース本体１Ａには、釘押し体２が、一方の端部を前方の中空状のケース本体１Ａ先端の開口から外部に突出させ、他方の端部をハンマー体７の前面と対向させた状態で前方の中空状のケース本体１Ａ内に軸方向にスライド可能に挿入されている。また、釘押し体２の他方の端部に当接するようにトリガー部材Ａ４が挿入されている。さらに、トリガー部材Ａ４には、ばねＡ５が固定されている。また、釘押し体２の一方の端部の近傍には、クッション部材３１と、ストッパー部材３２とからなる盤面保護体３が装着されている。
【００２４】
図２（ａ）は、釘押し体２の斜視図である。図２（ｂ）は、釘押し体２の正面図であり、図２（ｃ）は、同右側面図である。これらの図に示すように、釘押し体２は、パチンコ台の盤面表側に穿設されている釘穴に挿入可能な直径を有する円柱状の釘押し部２１と、一部が前方の中空状のケース本体１Ａ内に軸方向にスライド可能に挿入される円柱状のスライド部２３と、このスライド部２３と釘押し部２１の間に形成され、円錐状の傾斜面を有する傾斜面部２２とが一体的に形成されている。
【００２５】
また、釘押し体２は、スライド部２３の端部に、スライド部２３の直径及び前方の中空状のケース本体１Ａの前端に形成されている開口の直径よりも大きな直径の抜け防止部２４が形成されており、この抜け防止部２４によって前方の中空状のケース本体１Ａの前端に形成されている開口から釘押し体２が抜け出るのを防止している。
【００２６】
さらに、釘押し体２の抜け防止部２４の端部には、押圧面２４ａが形成されており、この押圧面２４ａは、トリガー部材Ａ４の押圧面と接触して押圧される構造となっている。
【００２７】
また、釘押し体２の釘押し部２１の先端には、釘押し面２１ａが形成されており、この釘押し面２１ａが、除去される釘の先端部に当接される。尚、釘押し面２１ａと円柱状の釘押し部２１の周面との境界部分が鋭角となっていると、釘の除去時に釘穴の周面が削りとられて、釘穴が大きくなる可能性があるので、釘押し面２１ａと円柱状の釘押し部２１の周面との境界部分にはアール加工が施されている。
【００２８】
図３（ａ）は、釘押し体２に盤面保護体３を設置した状態の斜視図である。図３（ｂ）は、釘押し体２に盤面保護体３を設置した状態の正面図であり、図３（ｃ）は、同右側面図である。これらの図に示すように、盤面保護体３は、弾性体により形成されたクッション部材３１と、ストッパー部材３２とから構成されている。ストッパー部材３２は、貫通孔３２ａが形成されており、この貫通孔３２ａの直径は、円柱状の釘押し部２１の直径よりも大きく、円柱状のスライド部２３の直径よりも小さくなっている。即ち、ストッパー部材３２は、釘押し体２の傾斜面部２２で係止する構造となっている。尚、ストッパー部材３２はワッシャー等の金属で形成されたものを使用すればよい。
【００２９】
また、クッション部材３１は、貫通孔３１ａが形成されており、この貫通孔３１ａの直径は、円柱状の釘押し部２１の直径と略同等の大きさとなっている。このクッション部材３１は、ゴム等の弾性を有する材質のものを使用すればよく、弾性を有することによって、パチンコ台の盤面の表側の面に当接した時に、表側の面に傷が付かないようにしている。
【００３０】
図４（ａ）は、本発明のトリガー手段の一部を構成するトリガー部材Ａ４にばねＡ５を装着した状態の断面図である。図４（ｂ）は、トリガー部材Ａ４にばねＡ５を装着した状態を正面方向から見た図であり、図４（ｃ）は、トリガー部材Ａ４にばねＡ５を装着した状態を背面方向から見た図である。これらの図に示すように、トリガー部材Ａ４は、先端に、前述した釘押し体２の押圧面２４ａと接触する押圧面４１が形成されている。また、符号４２は、ばねＡ５の一方の端部を係止する係止突起であり、符号４６は、係止突起４２の後方に形成された外周面である。符号４３は、外周面４６の後方に形成された円錐状の傾斜面である。さらに、円錐状の傾斜面４３の後方には、ハンマー体７の収容孔７２に収容される円柱状の押圧棒４４が形成されており、この押圧棒４４の端部に形成されている押圧面４５が後述するトリガー部材Ｂに接触する構造となっている。
【００３１】
ばねＡ５は、先端の固定部５１の直径が後方の圧縮部５２の直径よりも小さくなっており、固定部５１がトリガー部材Ａ４の係止突起４２と外周面４６とに当接して設置されている。この設置状態では、トリガー部材Ａ４の長手方向の軸心が、ばねＡ５の圧縮部５２の長手方向の軸心に対して平行とならないようにして設置されている。即ち、ばねＡ５が圧縮されていない状態では、押圧面４５が後述するトリガー部材Ｂの傾斜面の一部に接触する構造となっている。尚、ばねＡ５の弾性力は、前述したばねＢ８の弾性力よりも小さくなるように設計されている。
【００３２】
図５（ａ）は、トリガー手段の一部を構成するトリガー部材Ｂ６の斜視図である。図５（ｂ）は、トリガー部材Ｂ６の正面図であり、図５（ｃ）は、（ｂ）のＡ−Ａ断面図である。これらの図に示すように、トリガー部材Ｂ６は、外周面６３を有する円柱形状となっており、貫通孔６２が形成されていると共に、この貫通孔６２形成されている一方の端面には、傾斜面６１が形成されている。また、貫通孔６２の直径は、前述したトリガー部材Ａ４の外周面４６よりも大きく形成されている。また、他方の端面６４がハンマー体７の前面７１に対向させた状態で中央の中空状のケース本体１Ｂの中空部１０ｂに設置される。
【００３３】
図６（ａ）は、ハンマー体７の斜視図である。図６（ｂ）は、ハンマー体７の正面図であり、図６（ｃ）は、（ｂ）のＢ−Ｂ断面図である。これらの図に示すように、ハンマー体７は、外周面７４を有する円柱形状となっており、収容孔７２が形成されている。この収容孔７２は、前述したトリガー部材Ａ４の押圧棒４４を収容する孔であり、底部には、押圧面７２ａが形成されている。また、収容孔７２が形成されている側の前面７１がトリガー部材Ｂ６の端面６４に対向させた状態で中央の中空状のケース本体１Ｂの中空部１０ｂに設置される。また、ハンマー体７の後面７３がばねＢ８の端部８ａに当接するように設置される（図１参照）。
【００３４】
図７及び図８は、本発明に係るパチンコ釘の除去工具の使用状態を示す断面図である。尚、図中において断面を示す平行斜線は省略している。図７及び図８に示す符号９は、パチンコ台の盤面であり、符号９ａは、表面、符号９ｂは、裏面、符号９ｃは、パチンコ釘の穴を示している。また、符号１１は、頭部が折れたパチンコ釘であり、１１ａはパチンコ釘に形成されている雄ネジである。
【００３５】
図７に示すように、パチンコ釘の除去工具の釘押し体２の釘押し部２１の先端の釘押し面２１ａを、除去される釘１１の先端部に当接する。この状態では、トリガー部材Ａ４の押圧面４５が、トリガー部材Ｂ６の傾斜面６１の一部に接触する状態、即ち係止状態となっている。そして、作業者が、中空状のケース本体１Ｃを片手で把持して釘穴方向に押圧していくと、釘押し体２の一方の端部が、相対的に、前方の中空状のケース本体１Ａの内部に押し込まれていく。すると、釘押し体２の押圧面２４ａがトリガー部材Ａ４の押圧面４１を押圧することとなり、ばねＡ５が徐々に圧縮されていく。ばねＡ５が圧縮されていくと、圧縮部５２の端部がトリガー部材Ｂ６の傾斜面６１に当接し、トリガー部材Ａ４の長手方向の軸心が、ばねＡ５の圧縮部５２の長手方向の軸心に対して徐々に平行に近くなっていく。そして、釘押し体２が所定の位置まで押し込まれた状態となると、トリガー部材Ａ４の押圧棒４４が、ハンマー体７の収容孔７２に収容されて、係止状態が解除される。
【００３６】
係止状態が解除されると、図８に示すように、ばねＢ８に付勢されたハンマー体７がトリガー部材Ａを介して釘押し体２を前方の中空状のケース本体１Ａから突出させる方向へと押圧する。即ち、ハンマー体７の押圧面７２ａが、トリガー部材Ａ４の押圧棒４４の押圧面４５を押圧し、トリガー部材Ａ４の押圧面４１が釘押し体２の押圧面２４ａを押圧する。そして、釘押し体２の円柱状の釘押し部２１の先端の釘押し面２１ａがパチンコ釘の穴９Ｃの内部に進入して頭部が折れたパチンコ釘１１がパチンコ台の盤面９の裏面９ｂ側から放出されることによって、パチンコ台の盤面９から除去される。即ち、ばねＡ５の弾性力だけでは、パチンコ釘１１を盤面から除去することはできないが、ばねＢ８の弾性力が加わることによって、パチンコ釘１１を盤面から除去することができるのである。尚、ばねＢ８の弾性力は、後方の中空状のケース本体１Ｃと、中央の中空状のケース本体１Ｂとの螺合を緩めることによって弱めることができる。
【００３７】
係止状態が解除されると、盤面保護体３は、クッション部材３１がパチンコ台の盤面９の表面９ａに当接することとなるが、クッション部材３１の弾性によってパチンコ台の盤面９の表面９ａに傷が付くことを防いでいる。また、クッション部材３１の後方に配置されたストッパー部材３２は、釘押し体２の傾斜面部２２で係止する構造となっており、釘押し体２の傾斜面部２２がパチンコ釘の穴９Ｃの内部に進入することがない寸法で、盤面保護体３が釘押し体２に設置されている。
【００３８】
そして、頭部が折れたパチンコ釘１１の除去が終了すると、パチンコ釘の除去工具１０の円柱状の釘押し部２１をパチンコ釘の穴９Ｃから引き抜くこととなる。この時、トリガー手段を構成するばねＡ５の付勢によって、トリガー部材Ａ４が釘押し体２を前方の中空状のケース本体１Ａから突出させる方向へと移動する。このトリガー部材Ａ４のケース本体内での移動によって、トリガー部材Ａ４の押圧棒４４は、ハンマー体７の収容孔７２から離れ、パチンコ釘の除去工具１０は、図７に示す係止状態へと復帰する。
【００３９】
したがって、本発明に係るパチンコ釘の除去工具１０は、連続して複数の頭部が折れたパチンコ釘１１の除去作業を行うことができ、分解等を行って係止状態への設定作業を行う必要がないので、作業効率は高いものとなる。
【産業上の利用可能性】
【００４０】
本発明のパチンコ釘の除去工具は、遊技機であるパチンコ台の盤面に配置されている複数のパチンコ釘が折れて交換が必要となった場合に、パチンコ釘をパチンコ台の盤面から除去するための工具として使用される。
【符号の説明】
【００４１】
１Ａ、１Ｂ、１Ｃ  ケース本体
２  釘押し体
３  盤面保護体
４  トリガー部材Ａ
５  ばねＡ
６  トリガー部材Ｂ
７  ハンマー体
８  ばねＢ
９  パチンコ台の盤面
１０  パチンコ釘の除去工具
１０ａ、１０ｂ、１０ｃ  中空部
１１  パチンコ釘
【図１】
2014128526.tif 000003
【図２】
2014128526.tif 000004
【図３】
2014128526.tif 000005
【図４】
2014128526.tif 000006
【図５】
2014128526.tif 000007
【図６】
2014128526.tif 000008
【図７】
2014128526.tif 000009
【図８】
2014128526.tif 000010